(57)【要約】  トレイ（１４）と、トレイ（１４）が長手方向（Ｌ）において摺動可能に内部に取り付けられるスリーブ（１８）と、を備えたパッケージング（２００）。パッケージング（２００）は、パッケージング（２００）の少なくとも１つの不正防止要素（８２）をさらに備え、前記不正防止要素（８２）は、トレイ（１４）と一体である第１のセクション（１１０）と、少なくとも１つの脆弱ライン（１２０）によりスリーブ（１８）に対してリンクされた第２のセクション（１１２）と、を備えている。前記脆弱ライン（１２０）または各脆弱ライン（１２０）は、スリーブ（１８）の長手方向端部エッジ（１０９ａ）中に開口している。
2020533245.tif 000002
【特許請求の範囲】
【請求項１】
トレイ（１４、１４´、１４″）と、前記トレイ（１４、１４´、１４″）が内部を長手方向（Ｌ）に摺動し得るスリーブ（１８、１８´、１８″）と、を備えたパッケージング（２００、２００´、２００″）であって、
当該パッケージング（２００、２００´、２００″）の少なくとも１つの不正防止要素（８２、５００）を備え、前記不正防止要素（８２、５００）が、
前記トレイ（１４、１４´、１４″）と一体である第１のセクション（１１０、５０２）と、
少なくとも１つの脆弱ライン（１２０、２９４）により前記スリーブ（１８、１８´、１８″）に対してリンクされた第２のセクション（１１２、５０４）と、
を備えた、パッケージング（２００、２００´、２００″）において、
前記脆弱ライン（１２０、２９４）または各脆弱ライン（１２０、２９４）は、前記スリーブ（１８、１８´、１８″）の長手方向端部エッジ（１０９ａ、４０９ｂ）中に開口していることを特徴とする、パッケージング（２００、２００´、２００″）。
【請求項２】
前記スリーブは、底部（１０２）と、頂部（１０４）と、前記頂部（１０４）に対して前記底部（１０２）を連結する２つの側壁部（１０６、１０８）とを備え、前記スリーブ（１８、１８´）は、前記スリーブ（１８、１８´）の前記頂部（１０４）、前記底部（１０２）、または２つの前記側壁部（１０６、１０８）の少なくとも１つの中に形成された少なくとも１つの切欠部（１２２）を有することを特徴とする、請求項１に記載のパッケージング（２００、２００´）。
【請求項３】
前記不正防止要素（８２）の前記第２のセクション（１１２）は、前記切欠部（１２２）または前記切欠部（１２２）の中の１つの中に収容されていることを特徴とする、請求項２に記載のパッケージング（２００、２００´）。
【請求項４】
前記切欠部（１２２）は、前記不正防止要素（８２）により占められる第１の領域（１２４）と、空状態のままになされる第２の領域（１２６）とを備えていることを特徴とする、請求項３に記載のパッケージング（２００、２００´）。
【請求項５】
前記トレイ（１４、１４´、１４″）は、前記長手方向（Ｌ）における前方端部パネル（６０、２６１）を備え、前記不正防止要素（８２、５００）の前記第１のセクション（１１０、５０２）は、前記前方端部パネル（６０、２６１）と一体であることを特徴とする、請求項１から４のいずれか一項に記載のパッケージング（２００、２００´、２００″）。
【請求項６】
前記不正防止要素（８２、５００）の前記第１のセクション（１１０、５０２）は、脆弱ライン（１１８´、２９４）により前記不正防止要素（８２、５００）の前記第２のセクション（１１２、５０４）に対して連結されていることを特徴とする、請求項１から５のいずれか一項に記載のパッケージング（２００、２００´）。
【請求項７】
前記不正防止要素（８２）の前記第１のセクション（１１０）は、Ｔ字形状、半円盤形状、四角形状、円形状、または楕円形状を有していることを特徴とする、請求項１から６のいずれか一項に記載のパッケージング（２００）。
【請求項８】
前記不正防止要素（８２）は、前記スリーブ（１８、１８´）と一体形成され、前記トレイ（１４、１４´）の上に折り重ねられていることを特徴とする、請求項１から７のいずれか一項に記載のパッケージング（２００、２００´）。
【請求項９】
前記不正防止要素（５００）は、前記トレイ（１４″）と一体形成され、前記スリーブ（１８″）の上に折り重ねられていることを特徴とする、請求項１から７のいずれか一項に記載のパッケージング（２００″）。
【請求項１０】
請求項１から９のいずれか一項に記載のパッケージング（２００、２００´、２００″）を構成するようになされていることを特徴とする、ブランク（１０、１０´、１０″）。
【発明の詳細な説明】
【技術分野】
【０００１】
本発明は、トレイと、トレイが長手方向に摺動するように内部に取り付けられるスリーブとを備えるタイプのパッケージングであって、このパッケージングがパッケージング用の少なくとも１つの不正防止要素をさらに備える、パッケージングに関する。この不正防止要素は、
−  トレイと一体である第１のセクションと、
−  少なくとも１つの脆弱ラインによりスリーブに対してリンクされた第２のセクションと
を備える。
【０００２】
また、本発明は、かかるパッケージングを形成するためのブランクに関する。
【０００３】
より詳細には、本発明は、パッケージングされた食品製品の各ポーションのパッケージングに該当し、このパッケージングされた食品製品の各ポーションは、例えばおよび非限定的には、
−  チーズベースおよび／または乳製品ベースを含む製品など、非限定的なチーズなどの乳製品ポーション、
−  乳製品代替製品のポーション、
−  例えばシリアルベースなどの、少なくとも１つの乳製品ベースおよび少なくとも１つの他の非乳製品ベースを含む複合製品のポーション、
−  野菜成分に基づく食品製品のポーション、
−  砂糖菓子製品またはチョコレート製品のポーション、
−  ブロスキューブまたは派生製品などの料理補助製品のポーション
である。
【背景技術】
【０００４】
スリーブ内に摺動可能に取り付けられるトレイにより形成されたパッケージング内に収容される製品は、とりわけスーパーマーケットの棚からの窃盗被害に一般的にさらされており、なぜならばこれらのパッケージングは、スリーブ外へとトレイを摺動させ次いでスリーブ内へとトレイを再び戻すように摺動させることにより簡単に開閉され得るからである。
【０００５】
この問題を解消するために、不正防止要素を有するパッケージングが知られている。
【０００６】
したがって、例えば、あるパッケージングが欧州特許出願公開第１６５２７８１号明細書より知られており、これは、トレイと、不正防止要素を備えるチューブ状スリーブとを備える。このトレイは、端部閉鎖構造を備える。スリーブの切り離し可能パーツがこの端部閉鎖構造と相互作用することにより、パッケージングが未開封状態にある場合におけるトレイに対するアクセスが防止される。
【０００７】
しかし、かかるパッケージングは、複雑かつ高額なトレイの設計と、大量の原材料の使用とを必要とする。さらに、この種のパッケージングは、不正防止要素を備えないパッケージングに比べてかさばる。
【０００８】
また、欧州特許出願公開第１６３７４６０号明細書および米国特許出願公開第２００９／０２６１１５５号明細書は、トレイと、内部でトレイが摺動するチューブ状スリーブとを備えるパッケージングについて説明しており、各パッケージングは、不正防止要素を備える。
【０００９】
欧州特許出願公開第１６３７４６０号明細書では、不正防止要素は、トレイと一体形成されスリーブ上に折り重ねられる引き裂きストリップからなる。パッケージングを開くためには、ユーザは、ストリップを引き裂き、次いでトレイを把持し、スリーブからトレイを取り出さなければならない。
【００１０】
米国特許出願公開第２００９／０２６１１５５号明細書では、不正防止要素は、２つの舌部により形成され、各舌部が、トレイおよびスリーブと一体形成され、次いで下方に折り曲げられ、スリーブ上に接着される。パッケージングを開くためには、ユーザは、スリーブからタブを剥がし、パッケージングからタブを引き裂き、次いでトレイを把持しスリーブからトレイを取り出さなければならない。
【先行技術文献】
【特許文献】
【００１１】
【特許文献１】欧州特許出願公開第１６５２７８１号明細書
【特許文献２】欧州特許出願公開第１６３７４６０号明細書
【特許文献３】米国特許出願公開第２００９／０２６１１５５号明細書
【発明の概要】
【発明が解決しようとする課題】
【００１２】
本発明の目的は、パッケージングの開封およびスリーブからのトレイの取り出しを容易にすることである。もう１つの目的は、使用される原材料の量とパッケージングのコストとを抑えることである。
【課題を解決するための手段】
【００１３】
このために、本発明の目的は、上記のまたは各脆弱ラインがスリーブの長手方向端部エッジ中に開口している前述のタイプのパッケージングを提供することである。
【００１４】
また、本発明の特定の実施形態によれば、パッケージングは、以下の特徴の中の１つまたは複数を単独で、または任意の技術的に実現可能な組み合わせで有する。
−  スリーブは、底部と、頂部と、頂部に対して底部を連結する２つの側壁部とを備え、スリーブは、スリーブの頂部、底部、または２つの側壁部の少なくとも１つの中に形成された少なくとも１つの切欠部を有する。
−  不正防止要素の第２のセクションは、切欠部または切欠部の中の１つの中に収容される。
−  切欠部は、不正防止要素により占められる第１の領域と、空状態のままになされる第２の領域とを備える。
−  トレイは、長手方向における前方端部パネルを備え、不正防止要素の第１のセクションは、前記前方端部パネルと一体である。
−  不正防止要素の第１のセクションは、脆弱ラインにより不正防止要素の第２のセクションに対して連結される。
−  不正防止要素の第１のセクションは、Ｔ字形状、半円盤形状、四角形状、円形状、または楕円形状を有する。
−  不正防止要素は、スリーブと一体形成され、トレイの上に折り重ねられる。
−  不正防止要素は、トレイと一体形成され、スリーブの上に折り重ねられる。
【００１５】
また、本発明は、かかるパッケージングを形成するためのブランクに関する。
【００１６】
本発明の他の特徴および利点が、専ら例として示され添付の図面に関連してなされる以下の説明を読むことにより明らかになろう。
【図面の簡単な説明】
【００１７】
【図１】本発明の第１の好ましい実施形態によるパッケージングを形成するために平坦状に示されたブランクの第１のパーツの平面図である。
【図２】本発明の第１の好ましい実施形態によるパッケージングを形成するために平坦状に示されたブランクの第２のパーツの平面図である。
【図３】パッケージングが閉じられた、図１および図２のブランクから形成されたパッケージングの前面および底面の斜視図である。
【図４】パッケージングが部分的に開状態にある、図３の図と同様の図である。
【図５】本発明の第２の実施形態によるパッケージングを形成するために平坦状に示されたブランクの第１のパーツの平面図である。
【図６】本発明の第２の実施形態によるパッケージングを形成するために平坦状に示されたブランクの第２のパーツの平面図である。
【図７】パッケージングが閉じられた、図５および図６のブランクを用いて形成されたパッケージングの前面および上面の斜視図である。
【図８】パッケージングが部分的に開状態にある、図７と同様の図である。
【図９】本発明の第３の実施形態によるパッケージングを形成するために平坦状に示されたブランクの第１のパーツの平面図である。
【図１０】本発明の第３の実施形態によるパッケージングを形成するために平坦状に示されたブランクの第２のパーツの平面図である。
【図１１】パッケージングが閉じられた、図９および図１０のブランクを用いて形成されたパッケージングの前面および上面の斜視図である。
【図１２】パッケージングが部分的に開状態にある、図１１の図と同様の図である。
【発明を実施するための形態】
【００１８】
図１および図２のブランク１０は、図３および図４のパッケージング２００を構成するように意図される。これを目的として、ブランク１０は、パッケージング２００のトレイ１４（図３）を構成するように特に意図された図１に示す第１のパーツ１２と、パッケージング２００のチューブ状スリーブ１８（図３）を構成するように特に意図された図２に示す第２のパーツ１６とを備える。
【００１９】
ここで、および以下において、「チューブ」および「チューブ状の」という用語は、それらのあらゆる可能な意味にしたがって理解されるべきであり、回転円筒形状に限定されない。したがって、形成された場合には、スリーブ１８は、任意の技術的に実現可能な形状の断面を有する。好ましくは、スリーブ１８は、矩形形状の断面を有する。
【００２０】
図５および図６のブランク１０´は、図７および図８のパッケージング２００´を構成するように意図される。これを目的として、ブランク１０´は、パッケージング２００´のトレイ１４´（図７）を構成するように特に意図された図５に示す第１のパーツ１２´と、パッケージング２００´のチューブ状スリーブ１８´（図７）を構成するように特に意図された図６に示す第２のパーツ１６´とを備える。
【００２１】
ブランク１０および１０´の第１のパーツ１２、１２´は、同一である。したがって、図１を参照としてここで示されるブランク１０の第１のパーツ１２の説明は、ブランク１０´の第１のパーツ１２´に対しても当てはまる。
【００２２】
第１のパーツ１２は、第１の長手方向Ｌ１に細長い。
【００２３】
好ましくは、第１のパーツ１２は、主に厚紙からなる。別の実施形態によれば、第１のパーツは、主に剛性プラスチックからなる。
【００２４】
有利には、第１のパーツ１２は、開かれた場合に１００〜２５００ミクロンの間の、好ましくは２００〜８００ミクロンの間の全厚を有する。
【００２５】
第１のパーツ１２は、主要領域２０と、長手方向Ｌ１において主要領域２０の両側に配置された２つの端部領域２２とを備える。
【００２６】
典型的には、主要領域２０は、略矩形形状を有する。
【００２７】
主要領域２０は、横並びの３つのパネル２４、２６、２８を備え、中央パネル２４および２つの側部パネル２６、２８は、長手方向Ｌ１に対して実質的に垂直である第１の横方向Ｔ１において中央パネル２４の両側に配置される。
【００２８】
３つのパネル２４、２６、２８は、長手方向Ｌ１に対して実質的に平行に延在する長手方向折り目ライン３０、３２により相互連結される。
【００２９】
中央パネル２４は、トレイ１４の底部３４（図４）を形成するように意図され、２つの側部パネル２６、２８は、トレイ１４の対向側において２つの側方壁部５６、５８（図４）を形成するように意図される。
【００３０】
好ましくは、２つの側部パネル２６、２８は、実質的に同一の形状およびサイズのものである。
【００３１】
端部領域２２は、横方向Ｔ１に延在する横方向折り目ライン４０、４１により主要領域２０に対して連結される。
【００３２】
好ましくは、端部領域２２は、図示するように、第１のパーツ１２の正中・横断面（図示せず）に関して相互に対称である。
【００３３】
典型的には、各端部領域２２は、端部閉鎖フラップ４２と、横方向Ｔ１において端部閉鎖フラップ４２の両側に配置された２つの長手方向フラップ４４とを備える。端部閉鎖フラップ４２は、第１の横折り目ライン４０により主要領域２０に対して連結され、長手方向フラップ４４はそれぞれ、第２の横折り目ライン４１により各側部パネル２６、２８に対して連結される。
【００３４】
端部閉鎖フラップ４２は、長手方向Ｌ１において横並びに２つのパネル４６、４８を備える。その後、主要領域２０に対して連結されたパネル４６が、近位パネル４６と呼ばれ、他方のパネル４８が、遠位パネル４８と呼ばれる。
【００３５】
遠位パネル４８および近位パネル４６は、横方向Ｔ１に対して実質的に平行に延在する折り目ライン５０により連結される。
【００３６】
遠位パネル４８および近位パネル４６は、相互上に折り曲げられ得るように、実質的に同一の寸法を有する。
【００３７】
好ましくは、遠位パネル４８は、端部閉鎖フラップ４２と主要領域２０の中央パネル２４との間の折り目ライン４０中に形成されたスロット５４内に係合するように意図された２つのロック歯５２を備える。
【００３８】
図３および図４のトレイ１４または図７および図８のトレイ１４´を組み立てるためには、フラップ４４が、最初に折り目ライン４１に沿って長手方向Ｌ１および横方向Ｔ１に対して垂直な高さ方向（図示せず）に起こされる。
【００３９】
次いで、主要領域２０の側部パネル２６、２８が、高さ方向におよび折り目ライン３０、３２に沿って起こされることによりトレイ１４の側壁部５６、５８を形成する。この実施において、フラップ４４は、それらが横に配向されるような位置へと傾けられる。
【００４０】
次いで、端部閉鎖フラップ４２は、折り目ライン４０に倣い高さ方向に起こされ、それにより各フラップ４２の近位パネル４６が、フラップ４４と接触状態になる。
【００４１】
最後に、各端部閉鎖フラップ４２の遠位パネル４８は、折り目ライン５０にて関連する近位パネル４６の上に折り曲げられ、ロック歯５２は、対応するスロット５４に係入される。この実施において、フラップ４４は、各端部閉鎖フラップ４２の遠位パネル４８と近位パネル４６との間に捕捉され、これにより側壁部５６、５８は、直立位置にロックされ得る。
【００４２】
したがって、トレイ１４、１４´は、組立が簡単である。
【００４３】
図２および図６を参照すると、ブランク１０および１０´の第２のパーツ１６、１６´は、それぞれ第２の長手方向Ｌ２において細長い。
【００４４】
好ましくは、前記第２のパーツ１６、１６´は、主に厚紙から作製される。別の実施形態によれば、第２のパーツ１６、１６´は、主に剛性プラスチックから作製される。
【００４５】
有利には、各第２のパーツ１６、１６´は、開かれた場合に１００〜２５００ミクロンの間の、好ましくは２００〜８００ミクロンの間の全厚を有する。
【００４６】
各第２のパーツ１６、１６´は、主要領域８０と、主要領域８０に対して連結された不正防止要素を形成する舌部８２とを備える。
【００４７】
主要領域８０は、４つのパネル８４、８６、８８、９０と、横並びに配置された末端連結ストリップ９２とを備える。４つのパネル８４、８６、８８、９０および末端連結ストリップ９２は、長手方向Ｌ２に対して実質的に平行に延在する折り目ライン９４、９６、９８、１００により相互連結される。
【００４８】
４つのパネル９０、８６、８４、８８は、底部１０２（図３および図８）と、底部１０２の対向側の頂部１０４（図３および図８）と、スリーブ１８、１８´の頂部１０４に対して底部１０２を連結する２つの側壁部１０６、１０８（図３および図８）とをそれぞれ形成するように意図される。一変形例として、パネル８６は、スリーブ１８、１８´の底部１０２を形成するように意図され、パネル９０は、頂部１０４を形成するように意図される。
【００４９】
図示する例によれば、スリーブ１８の頂部１０４および底部１０２を形成するように意図されたパネル８６、９０は、実質的に同一の寸法を有する。
【００５０】
図示する例によれば、２つの側壁部１０６、１０８を形成するように意図されたパネル８４、８８は、実質的に同一の寸法を有する。
【００５１】
本説明では、スリーブ１８の底部１０２および頂部１０４は、トレイ１４がスリーブ１８内に挿入される場合に、トレイ１４に対して画定され、トレイ１４の底部３４はスリーブ１８の底部１０２に対面し、トレイ１４の開口部分はスリーブ１８の頂部１０４に対面する。
【００５２】
パネル８４、８６、８８、９０は、組み立てられた場合にトレイ１４がスリーブ１８内に摺動可能に取り付けられ得るように寸法設定される。
【００５３】
主要領域８０は、第１の長手方向端部エッジ１０９ａを備える、前記前方長手方向端部エッジ１０９ａ、および第２の長手方向端部エッジ、前記後方長手方向端部エッジ１０９ｂ、前方長手方向端部エッジ１０９ａの対向側に位置する。
【００５４】
舌部８２は、主要領域８０に対して装着される。好ましくは、舌部８２は、前記主要領域８０と一体形成される。
【００５５】
舌部８２は、第１の自由セクション１１０と、主要領域８０に対してリンクされた第２のセクション１１２とを備える。特に、第１のセクション１１０および第２のセクション１１２は、舌部８２の第１の方向において相互に並置され、それぞれが第１の方向に対して直交する第２の方向における舌部８２の全幅にわたり延在する。
【００５６】
図２に示す第１の実施形態の特定の場合では、第１のセクション１１０はＴ字形状を有する。図６に示す第２の実施形態の特定の場合では、第１のセクション１１０は矩形形状を有する。一変形例としては、第１のセクション１１０は、例えば半円盤形状、四角形状、円形状、または楕円形場などの別の形状を有する。
【００５７】
第２のセクション１１２は、第１のセクション１１０に対してリンクされた第１の端部１１４と、第１の端部１１４の対向側の把持端部１１６として知られる第２の自由端部１１６とを有する。
【００５８】
図２に示す第１の実施形態の特定の場合では、舌部８２の第２のセクション１１２は、第１の端部１１４に沿って横方向Ｔ２に対して実質的に平行に延在する折り目ライン１１８により第１のセクション１１０に対してリンクされる。
【００５９】
図６に示す第２の実施形態の特定の場合では、第１のセクション１１０は、第１の端部１１４に沿って横方向Ｔ２に対して実質的に平行に延在する脆弱ライン１１８´により舌部８２の第２のセクション１１２に対して連結される。前記脆弱ライン１１８´は、典型的には第２のパーツ１６´を形成する厚紙中へのプレカットにより形成される。
【００６０】
第２のセクション１１２は、少なくとも１つの脆弱ライン１２０により主要領域に対してリンクされる。これらの脆弱ライン１２０は、典型的には第２のパーツ１６、１６´を形成する厚紙中へのプレカットにより形成される。
【００６１】
本発明によれば、上記のまたは各脆弱ライン１２０は、主要領域８０の長手方向端部エッジ１０９ａ、１０９ｂの中の１つの中に開口し、典型的には前方長手方向端部エッジ１０９ａ中に開口する。特に、上記のまたは各脆弱ライン１２０は、第２のセクション１１２の把持端部１１６から、この脆弱ライン１２０が開口する前記長手方向端部エッジ１０９ａ、１０９ｂまで長手方向に延在する。
【００６２】
したがって、上記のまたは各脆弱ライン１２０を破壊するのに十分な強度および長手方向成分を含む方向で舌部８２の第２のセクション１１２の把持端部１１６に対して力を印加することにより、上記のまたは各脆弱ライン１２０の裂開が引き起こされる。
【００６３】
図２に示す第１の実施形態の特定の場合では、脆弱ライン１２０は、２つであり、それぞれが前方長手方向端部エッジ１０９ａ中に開口し、２つのV字分枝を実質的に形成し、そのV字の先端部は、把持端部１１６により形成される。
【００６４】
図６に示す第２の実施形態の特定の場合では、脆弱ライン１２０は、２つであり、それぞれが前方長手方向端部エッジ１０９ａ中に開口し、長手方向Ｌ２に対して実質的に平行である。次いで、舌部８２の第２のセクション１１２が、略矩形形状を有する。
【００６５】
好ましくは、ブランク１０および１０´の第２のパーツ１６、１６´は、主要領域８０のパネル８４、８６、８８、９０の中の１つに形成された少なくとも１つの切欠部１２２を有し、前記切欠部１２２は、主要領域８０の長手方向端部エッジ１０９ａ、１０９ｂの中の１つの中に開口し、典型的には前方長手方向端部エッジ１０９ａ中に開口する。本説明では、「切欠部」という用語は、小さな刻み目または切抜き部を示す。
【００６６】
舌部８２の第２のセクション１１２、より具体的にはこの第２のセクション１１２の把持端部１１６は、前記切欠部１２２または前記切欠部１２２の中の１つの中に収容される。
【００６７】
好ましくは、切欠部１２２は、舌部により占められる第１の領域１２４と、空状態のままになされる第２の領域１２６とを備える。
【００６８】
したがって、空状態のままになされる第２の領域１２６は、ユーザが舌部の把持端部１１６を容易に把持することを可能にする爪通路を残す。
【００６９】
図２に示す第１の実施形態の特定の場合では、切欠部１２２は、スリーブ１８の底部を形成するように意図されたパネル９０内に形成され、舌部の第２のセクション１１２は、前記切欠部１２２内に収容される。
【００７０】
図６に示す第２の実施形態の特定の場合では、切欠部１２２は、スリーブ１８の側壁部１０６、１０８の一方を形成するように意図されたパネル８４、８８の一方の中に形成され、舌部８２の第２のセクション１１２は、前記切欠部１２２内に収容される。
【００７１】
図３および図４のスリーブ１８を組み立てるためには、ブランク１０の第２のパーツ１６の４つのパネル８４、８６、８８、９０が、チューブを形成するように４つの折り目ライン９４、９６、９８に沿って折り曲げられる。
【００７２】
末端連結ストリップ９２は、主要領域８０に対してこの末端連結ストリップ９２を連結する折り目ライン１００に沿って折り曲げられる。末端連結ストリップ９２は、スリーブ１８を側方において閉じるように、スリーブ１８の隣接する側壁部１０６に対して例えば接着されるなど固定される。
【００７３】
したがって、スリーブ１８が組み立てられると、ブランク１０の第２のパーツ１６のパネル９０は、スリーブ１８の底部１０２を構成し、パネル８６は、頂部１０４を構成し、パネル８４および８８は、側壁部１０６および１０８を構成する。さらに、ブランク１０の第２のパーツ１６の前方長手方向端部エッジ１０９ａは、スリーブ１８の前方長手方向端部エッジを構成し、後方長手方向端部エッジ１０９ｂは、スリーブ１８の後方長手方向端部エッジを構成する。
【００７４】
一変形例としては（図示せず）、パネル８６は、スリーブ１８の底部１０２を構成し、パネル９０は、頂部１０４を構成する。
【００７５】
図７および図８のスリーブ１８´は、スリーブ１８に関して上述したものと同一の様式で組み立てられ、ブランク１０´の第２のパーツ１６´は、ブランク１０の第２のパーツ１６の単なる代替物である。
【００７６】
したがって、スリーブ１８、１８´の組立は、非常に簡単であり、容易に機械化され得る。
【００７７】
図３、図４、および図７、図８のパッケージング２００、２００´のそれぞれを形成するために、トレイ１４、１４´はそれぞれ、複数の物品A（図８）で最初に充填され、次いで対応するスリーブ１８、１８´のそれぞれに挿入されて、スリーブ１８、１８´の底部１０２に対接するようにトレイ１４、１４´の底部３４を配置し、長手方向Ｌ１、Ｌ２を一致させる。前記長手方向Ｌ１およびＬ２は、パッケージング２００、２００´の長手方向Ｌを形成する。
【００７８】
物品Aは、例えば食品製品であり、特にパッケージングされた食品製品の個別のポーションである。例えばおよび非限定的には、
−  チーズベースおよび／または乳製品ベースを含む製品など、非限定的なチーズなどの乳製品ポーション、
−  乳製品代替製品のポーション、
−  例えばシリアルベースなどの、少なくとも１つの乳製品ベースおよび少なくとも１つの他の非乳製品ベースを含む複合製品のポーション、
−  野菜成分に基づく食品製品のポーション、
−  砂糖菓子製品またはチョコレート製品のポーション、
−  ブロスキューブまたは派生製品などの料理補助製品のポーション
である。
【００７９】
次いで、舌部８２の第１のセクション１１０は、パッケージング２００を封止し不正防止要素を形成するために、トレイ１４、１４´と、特に前記トレイ１４、１４´の２つの端部パネル６０の一方にて一体的に作製される。典型的には、舌部８２の第１のセクション１１０が折り曲げられ、次いで前記端部パネル６０に対して接着される。
【００８０】
このパネル６０は、トレイ１４、１４´の前方端部パネル６０と呼ばれる。パネル６０は、中央ゾーン２０２と、中央ゾーン２０２の両側に横方向に配置された２つの端部ゾーン２０４、２０６とを有する。
【００８１】
したがって、図示する例では、パッケージング２００、２００´が封止されると、舌部８２の第１のセクション１１０と第２のセクション１１２との間に非ゼロ角度および１８０°の異なる角度が存在する。さらに、第１のセクション１１０は、第２のセクション１１２が帰属するパッケージング２００、２００´の面とは異なるパッケージング２００、２００´の面に対して帰属する。
【００８２】
第１の実施形態では、舌部８２の第１のセクション１１０は、前方端部パネル６０の中央ゾーン２０２と一体的に作製される。第２の実施形態では、舌部８２の第１のセクション１１０は、前方端部パネル６０の端部ゾーン２０４、２０６の一方と一体的に作製される。
【００８３】
かように形成されたパッケージング２００、２００´は、実質的に平行六面体形状を有する。
【００８４】
これらのパッケージング２００、２００´を封止解除するためには、把持端部１１６により舌部８２の第２のセクション１１２を把持することと、上記のまたは各脆弱ライン１２０を破壊するのに十分な強度で上記のまたは各脆弱ライン１２０の破壊を生じる長手方向成分を含む方向に舌部８２の第２のセクション１１２の把持端部１１６に対して力を印加することにより上記のまたは各脆弱ライン１２０を破壊することによってスリーブ１８、１８´から上記のまたは各第２のセクション１１２を装着解除することとで十分となる。第２のセクション１１２は、第１のセクション１１０に対してリンクされた状態に留まり、一方で第１のセクション１１０は、トレイ１４、１４´に対して結合された状態に留まる。
【００８５】
次いで、ユーザは、把持端部１１６に対して力を印加し続けながら舌部８２の第２のセクション１１２を引くことにより、単一の長手方向移動によってトレイ１４、１４´を摺入させ得る。
【００８６】
この場合には、第１の実施形態の特定の場合における第１のセクション１１０の特定のＴ字形状により、舌部８２を引くことによるトレイ１４の取外し時においてトレイ１４上の舌部８２の特により良好な把持が可能となる点に留意されたい。第２の実施形態に固有の脆弱ライン１１８´に関しては、この脆弱ライン１１８´により、パッケージング２００を開封した場合におけるパッケージング２００からの第２のセクション１１２の容易な装着解除が可能となる。
【００８７】
パッケージング２００、２００´は、一度開封されると、スリーブ１８、１８´のそれぞれの内部にトレイ１４、１４´をそれぞれ摺動することにより再び閉じられ得る。
【００８８】
例えば、パッケージング２００、２００´は、パッケージング２００、２００´の開封中に印加される力と同一方向および逆方向に舌部８２の第２のセクション１１２の把持端部１１６に対して力を印加することによって閉じられる。
【００８９】
第３の実施形態によるブランク１０″が、図９および図１０に示される。
【００９０】
図９および図１０のブランク１０″は、図１１および図１２のパッケージング２００″を構成するように意図され、ブランク１０″は、パッケージング２００″のトレイ１４″（図１１）を構成するように特に意図された図９に示す第１のパーツ１２″と、パッケージング２００″のチューブ状スリーブ１８″（図１１）を構成するように特に意図された図１０に示す第２のパーツ１６″とを備える。
【００９１】
第１のパーツ１２″は、第１の長手方向Ｌ″１に細長い。
【００９２】
好ましくは、第１のパーツ１２″は、主に厚紙からなる。別の実施形態によれば、第１のパーツは、主に剛性プラスチックからなる。
【００９３】
有利には、第１のパーツ１２″は、開かれた場合に１００〜２５００ミクロンの間の、好ましくは２００〜８００ミクロンの間の全厚を有する。
【００９４】
第１のパーツ１２″は、主要領域２１０と、長手方向Ｌ″１において主要領域２１０の両側に配置された２つの端部領域２１２、２１４と、２つの端部領域２１４の少なくとも一方に対して連結された少なくとも１つの舌部２１５とを備える。
【００９５】
主要領域２１０は、横並びの５つのパネル２１６、２１８、２２０、２２２、２２４、中央パネル２１６と、長手方向Ｌ″１に対して実質的に垂直な第１の横方向Ｔ″１において中央パネル２１６の両側に配置された４つの側部パネル２１８、２２０、２２２、２２４とを備える。
【００９６】
５つのパネル２１６、２１８、２２０、２２２、２２４は、長手方向Ｌ″１に対して実質的に平行に延在する長手方向折り目ライン２２６、２２８、２３０、２３２により相互連結される。
【００９７】
中央パネル２１６は、トレイ１４″の底部２３４（図１２）を形成するように意図され、４つの側部パネル２１８、２２０、２２２、２２４は、トレイ１４″の２つの対向側壁部２５６、２５８（図１２）を形成するように意図される。
【００９８】
その後、中央パネル２１６に対して連結されたパネル２２０、２２２は、近位側部パネル２２０、２２２と呼ばれ、他の側部パネル２１８、２２４は、遠位パネル２１８、２２４と呼ばれる。
【００９９】
好ましくは、近位側部パネル２２０、２２２は、実質的に同一の形状およびサイズのものである。好ましくは、遠位側部パネル２１８、２２４もまた、実質的に同一の形状およびサイズのものである。
【０１００】
２つの端部領域２１２、２１４は、横方向Ｔ″１に延在する横方向折り目ライン２４０ａ、２４０ｂにより主要領域２１０に対して連結される。この実施形態によれば、第１の端部領域２１２および第２の端部領域２１４が存在する。第１の端部領域２１２は、トレイ１４´の後方端部パネル（図示せず）を構成するように意図される。第２の端部領域２１４は、トレイ１４″の前方端部パネル２６１を構成するように意図される。
【０１０１】
典型的には、第１の端部領域２１２は、ブランク１０、１０´の第１のパーツ１２、１２´に関して上述した端部領域２２の中の１つと同一である。
【０１０２】
したがって、第１の端部領域２１２は、第１の端部閉鎖フラップ２４２と、横方向Ｔ″１において第１の端部閉鎖フラップ２４２の両側に配置された２つの長手方向フラップ２４４とを備える。第１の端部閉鎖フラップ２４２は、横方向折り目ライン２４０ａ、２４０ｂの第１の横方向折り目ライン２４０ａの第１の部分２４１により主要領域２１０に対して連結され、各長手方向フラップ２４４は、第１の横方向折り目ライン２４０ａの第２の部分２４３により各近位側部パネル２２０、２２２に対して連結される。
【０１０３】
第１の端部閉鎖フラップ２４２は、長手方向Ｌ″１において横並びに２つのパネル２４６、２４８を備える。その後、主要領域２１０に対して連結されたパネル２４６は、近位パネル２４６と呼ばれ、他のパネル２４８は、遠位パネル２４８と呼ばれる。
【０１０４】
遠位パネル２４８および近位パネル２４６は、横方向Ｔ″１に対して実質的に平行に延在する折り目ライン２５０により連結される。
【０１０５】
遠位パネル２４８および近位パネル２４６は、相互の上に折り重ねられ得るように実質的に同一の寸法を有する。
【０１０６】
好ましくは、遠位パネル２４８は、第１の端部閉鎖フラップ２４２と主要領域２１０の中央パネル２１６との間に、第１の横方向折り目ライン２４０ａの第１の部分２４１中に形成されたスロット２５４に係入するように意図された２つのロック歯２５２を備える。
【０１０７】
第２の端部領域２１４は、第２の端部閉鎖フラップ２６０、横方向Ｔ″１において第２の端部閉鎖フラップ２６０の両側に配置された２つの横方向フラップ２６２、および第２の端部閉鎖フラップ２６０に対して連結された２つのタブ２１５を備える。第２の端部閉鎖フラップ２６０は、第２の横方向折り目ライン２４０ｂにより主要領域２１０に対して連結される。
【０１０８】
第２の端部閉鎖フラップ２６０は、長手方向Ｌ″１において横並びに２つのパネル２６６、２６８を備える。その後、主要領域２１０に対して連結されたパネル２６６は、近位パネル２６６と呼ばれ、他のパネル２６８は、遠位パネル２６８と呼ばれる。
【０１０９】
遠位パネル２６８および近位パネル２６６は、横方向Ｔ″１に対して実質的に平行に延在する折り目ライン２７０により連結される。
【０１１０】
遠位パネル２６８および近位パネル２６６は、相互の上に折り重ねられ得るように、実質的に同一の寸法を有する。
【０１１１】
典型的には各横方向フラップ２６２は、長手方向折り目ライン２７２により遠位パネル２６８に対して連結される。
【０１１２】
各舌部２１５が、近位パネル２６６に対して装着される。好ましくは、各舌部２１５は、前記近位パネル２６６と一体形成される。
【０１１３】
図９に示す第３の実施形態の特定の場合では、各舌部２１５が、矩形形状を有する。
【０１１４】
各舌部２１５は、近位パネル２６６に対してリンクされた第１の端部２８０と、第１の端部２８０の対向側に位置する第２の自由端部２８２とを有する。
【０１１５】
各舌部２１５は、長手方向折り目ライン２８４により近位パネル２６６に対してリンクされる。
【０１１６】
図示されない一変形例では、各舌部２１５は、長手方向脆弱ラインにより近位パネル２６６に対してリンクされる。この脆弱ラインは、典型的には第１のパーツ１２″を形成する厚紙中におけるプレカットにより形成される。
【０１１７】
各舌部２１５は、パッケージング２００″の封止解除後にスリーブ１８″上に固定された状態に留まるように意図された第１の部分２８６と、パッケージング２００´を封止解除するためにスリーブ１８″から引き裂かれるように意図された第２の部分２８８とを備える。
【０１１８】
第２の部分２８８は、近位パネル２６６に対してリンクされた第１の端部２９０と、第１の端部２９０の対向側に位置する把持端部２９２と呼ばれる第２の自由端部２９２とを有する。
【０１１９】
各舌部２１５の第１の部分２８６は、少なくとも１つの脆弱ライン２９４により各第２の部分２８８に対して連結される。典型的には、図示するように、各舌部２１５の第１の部分２８６は、２つの脆弱ライン２９４により各第２の部分２８８に対して連結される。図示する例では、脆弱ライン２９４は、把持端部２９２方向に集束する。典型的には、第１の部分２８６は、長手方向Ｌ″１において第２の部分２８８を囲むようにこれらの脆弱ライン２９４の両側に配置される。
【０１２０】
典型的には、各脆弱ライン２９４は、第１のパーツ１２″を形成する厚紙中へのプレカットにより形成される。
【０１２１】
図１１および図１２のトレイ１４″を組み立てるために、長手方向フラップ２４４は、折り目ライン２４０ａの第２の部分２４３にしたがって、最初に長手方向Ｌ″１および横方向Ｔ″１に対して垂直な高さ方向（図示せず）に起こされる。
【０１２２】
次いで、主要領域２１０の近位側部パネル２２０、２２２が、高さ方向におよび折り目ライン２２８、２３０に沿って起こされて、トレイ１４″の側壁部５６、５８を形成する。その実施において、長手方向フラップ２４４は、それらが横方向に配向される位置へと傾けられる。
【０１２３】
次いで、端部閉鎖フラップ２４２、２６０は、フラップ２４２の近位パネル２４６がフラップ２４４と接触状態になるように、折り目ライン２４０ａ、２４０ｂにしたがって高さ方向に起こされる。
【０１２４】
各端部閉鎖フラップ２４２、２６０の遠位パネル２４８、２６８は、折り目ライン２５０、２７０にて関連する近位パネル２４６、２６６の上に折り重ねられる一方で、ロック歯２５２は、対応するスロット２５４に係入される。その実施において、長手方向フラップ２４４は、遠位パネル２４８と端部閉鎖フラップ２４２の近位パネル２４６との間に捕捉される。
【０１２５】
さらに、横方向フラップ２６２は、折り目ライン２７２に従うことにより長手方向Ｌ″１に折り曲げられる。
【０１２６】
各遠位側部パネル２１８、２２４は、折り目ライン２２６、２３０にて関連する近位側部パネル２２０、２２２の上に折り重ねられる。その実施において、横方向フラップ２６２は、遠位側部パネル２１８、２２４と近位側部パネル２２０、２２２との間に捕捉されて、側方壁部５６、５８を直立位置にロックすることが可能となる。
【０１２７】
次いで、トレイ１４″が完成され、各タブ２１５が、前方端部パネル２６１（図１１）に対して横方向にトレイ１４″から延出する。
【０１２８】
図１０を参照すると、ブランク１０″の第２のパーツ１６´は、第２の長手方向Ｌ″２に細長い。
【０１２９】
好ましくは、前記第２のパーツ１６″は、主に厚紙からなる。別の実施形態によれば、第２のパーツ１６″は、主に剛性プラスチックからなる。
【０１３０】
有利には、第２のパーツ１６″は、開かれた場合に１００〜２５００ミクロンの間の、好ましくは２００〜８００ミクロンの間の全厚を有する。
【０１３１】
第２のパーツ１６″は、主要領域３８０を備える。
【０１３２】
主要領域３８０は、４つのパネル３８４、３８６、３８８、３９０と、横並びに配置された末端連結ストリップ３９２とを備える。４つのパネル３８４、３８６、３８８、３９０および端部連結ストリップ３９２は、長手方向Ｌ″２に対して実質的に平行に延在する折り目ライン３９４、３９６、３９８、４００により共に連結される。
【０１３３】
４つのパネル３９０、３８６、３８４、３８８は、底部４０２（図１１）、底部４０２の対向側に位置する頂部４０４（図１２）、およびスリーブ１８″の頂部４０４に対して底部４０２を連結する２つの側壁部４０６、４０８（図１１および図１２）を形成するようにそれぞれ意図される。一変形例としては、パネル３８６は、スリーブ１８″の底部４０２を形成するように意図され、パネル３９０は、頂部４０４を形成するように意図される。
【０１３４】
図示する例によれば、スリーブ１８″の頂部４０４および底部４０２を形成するように意図されたパネル３８６、３９０は、実質的に同一の寸法を有する。
【０１３５】
図示する例によれば、２つの側壁部４０６、４０８を形成するように意図されたパネル３８４、３８８は、実質的に同一の寸法を有する。
【０１３６】
本説明においては、スリーブ１８″の底部４０２および頂部４０４は、トレイ１４″がスリーブ１８″に挿入される場合に、トレイ１４″に対して画定され、トレイ１４″の底部２３４は、スリーブ１８″の底部４０２に対面し、トレイ１４″の開口部分は、スリーブ１８″の頂部４０４に対面する。
【０１３７】
パネル３８４、３８６、３８８、３９０は、組み立てられた場合に、トレイ１４″がスリーブ１８″内に摺動可能に取り付けられ得るように寸法設定される。
【０１３８】
主要領域３８０は、第１の長手方向端部エッジ４０９ａを備え、前記前方長手方向端部エッジ４０９ａ、および第２の長手方向端部エッジ、前記後方長手方向端部エッジ４０９ｂ、前方長手方向端部エッジ４０９ａの対向側に位置する。
【０１３９】
図１１および図１２のスリーブ１８″を組み立てるためには、ブランク１０″の第２のパーツ１６″の４つのパネル３８４、３８６、３８８、３９０が、チューブを形成するように折り目ライン３９４、３９６、３９８に沿って折り曲げられる。
【０１４０】
端部連結ストリップ３９２は、主要領域３８０に対して端部連結ストリップ３９２を連結する折り目ライン４００に沿って折り曲げられる。端部連結ストリップ３９２は、スリーブ１８″を側方において閉じるように、スリーブ１８″の隣接する側壁部４０６に対して例えば接着されるなど固定される。
【０１４１】
したがって、スリーブ１８″が組み立てられると、ブランク１０″の第２のパーツ１６のパネル３９０は、スリーブ１８″の底部４０２を構成し、パネル３８６は、頂部４０４″を構成し、パネル３８４および３８８は、側壁部４０６および４０８を構成する。さらに、ブランク１０″の第２のパーツ１６″の前方長手方向端部エッジ４０９ａは、スリーブ１８″の前方長手方向端部エッジを構成し、後方長手方向端部４０９ｂのエッジは、スリーブ１８″の後方長手方向端部エッジを構成する。
【０１４２】
一変形例としては（図示せず）、パネル３８６は、スリーブ１８″の底部４０２を構成し、パネル３９０は、頂部４０４を構成する。
【０１４３】
したがって、スリーブ１８″の組立は、非常に簡単であり容易に機械化可能である。
【０１４４】
図１１および図１２のパッケージング２００″を形成するためには、トレイ１４″が、最初に複数の物品A（図１２）で充填され、次いでスリーブ１８″に挿入されて、スリーブ１８″の底部４０２に対接するようにトレイ１４″の底部２３４を配置し、長手方向Ｌ″１およびＬ″２を一致させる。前記長手方向Ｌ″１およびＬ″２は、パッケージング２００″の長手方向Ｌ″を形成する。
【０１４５】
物品Aは、例えば食品製品であり、具体的にはパッケージングされた食品製品の個々のポーションである。例えばおよび非限定的には、
−  チーズベースおよび／または乳製品ベースを含む製品など、非限定的なチーズなどの乳製品ポーション、
−  乳製品代替製品のポーション、
−  例えばシリアルベースなどの、少なくとも１つの乳製品ベースおよび少なくとも１つの他の非乳製品ベースを含む複合製品のポーション、
−  野菜成分に基づく食品製品のポーション、
−  砂糖菓子製品またはチョコレート製品のポーション、
−  ブロスキューブまたは派生製品などの料理補助製品のポーション
である。
【０１４６】
次いで、各舌部２１５が、パッケージング２００″を封止するために、特にスリーブ１８″の側壁部４０６、４０８にて前記スリーブ１８″と一体的に作製される。典型的には、各舌部２１５が折り曲げられ、次いで、第１の部分２８６が前記各側壁部４０６、４０８に対して接着され、第２の部分２８８が好ましくは接着無しの状態に留められる。
【０１４７】
したがって、タブ２１５が一度接着されると、パッケージング２００″の不正防止要素５００が実現され、この不正防止要素５００は、トレイ１４″に対して固定された近位パネル２６６により形成された第１のセクション５０２と、脆弱ライン２９４によりスリーブ１８″に対してリンクされた舌部２１５の第２の部分２８８により形成された第２のセクション５０４とを備える。各脆弱ライン２９４は、スリーブ１８″の長手方向端部エッジの中の１つの中に開口し、特に前方長手方向端部のエッジの中に開口する。さらに、各脆弱ライン２９４は、第２の部分２８８の把持端部２９２からこの脆弱ライン２９４が開口する前記長手方向端部エッジまで長手方向に延在する。
【０１４８】
特に、次いで第１のセクション５０２および第２のセクション５０４は、不正防止要素５００の第１の方向において相互に並置され、それぞれが、第１の方向に対して直交する第２の方向に沿って不正防止要素５００の全幅にわたり延在する。
【０１４９】
さらに、パッケージング２００″が封止されると、舌部２１５の第１のセクション５０２と第２のセクション５０４との間に１８０°以外の非ゼロ角度が存在する。
【０１５０】
さらに、次いで第１のセクション５０２が、第２のセクション５０４が帰属するパッケージング２００″の面とは異なるパッケージング２００″の１つの面に対して帰属する。
【０１５１】
したがって、各脆弱ライン２９４を破壊するのに十分な強度および長手方向成分を含む方向で舌部２１５の第２の部分２８８の把持端部２９２に対して力を印加することにより、上記のまたは各脆弱ライン２９４が破壊される。
【０１５２】
かように形成されたパッケージング２００″は、実質的に平行六面体形状を有する。
【０１５３】
このパッケージング２００″を封止解除するためには、把持端部２９２により各舌部２１５の第２の部分２８８を単に把持し、各脆弱ライン２９４を破壊するのに十分な強度および長手方向成分を含む方向で舌部２１５の第２のセクション５０４の把持端部２９２に対して力を印加することにより各脆弱ライン２９４を破壊することによってスリーブ１８″からこの第２の部分２８８を装着解除することによって、脆弱ライン２９４を破壊せよ。それにもかかわらず、第２の部分２８８は、トレイ１４″と一体に留まる。
【０１５４】
次いで、ユーザは、把持端部２９２に対して力を印加し続けながら舌部２１５の第２の部分２８８を引くことにより、単一の長手方向移動によってトレイ１４″を摺入させ得る。
【０１５５】
パッケージング２００″は、一度開封されると、スリーブ１８″の内部にトレイ１４″を摺動することにより再び閉じられ得る。
【０１５６】
例えば、パッケージング２００″は、パッケージング２００″を開く間に印加される力と同一方向および逆方向に舌部２１５の第２のセクション５０４の把持端部２９２に対して力を印加することによって閉じられる。
【０１５７】
説明したこれらの実施形態によれば、トレイ１４、１４´、１４″およびスリーブ１８、１８´、１８″はそれぞれ、実質的に平行六面体形状を有する。
【０１５８】
しかし、他の形状が可能である。例えば、本発明の説明されない変形例によれば、トレイ１４、１４´、１４″およびスリーブ１８、１８´、１８″は、台形形状、円筒形状、もしくは部分的円筒形状、または本発明の文脈において実現可能な任意の他の技術的形状を有し得る。
【０１５９】
したがって、本発明によれば、ユーザは、同一の移動においてパッケージング２００、２００´、２００″を封止解除しスリーブ１８、１８´、１８″からトレイ１４、１４´、１４″を取り外すことに成功する。さらに、原材料の量が限定量に留まり、パッケージング２００、２００´、２００″のコストもまた限定的となる。また、スリーブ１８、１８´、１８″は、機械を利用して容易に実現可能となる。
【０１６０】
さらに、パッケージング２００、２００´の不正防止システムに対してトレイ１４、１４´を適合させることが不要となり、したがって標準的なトレイがこのパッケージング２００、２００´に対して使用可能となる。同様に、パッケージング２００″の不正防止システムに対してスリーブ１８″を適合させることが不要となり、これによりパッケージング２００″に対して標準的なスリーブを使用することが可能となる。
【符号の説明】
【０１６１】
１０  ブランク
１０´  ブランク
１０´  ブランク
１２  第１のパーツ
１２´  第１のパーツ
１２″  第１のパーツ
１４  トレイ
１４´  トレイ
１４″  トレイ
１６  第２のパーツ
１６´  第２のパーツ
１６″  第２のパーツ
１８  スリーブ、チューブ状スリーブ
１８´  スリーブ、チューブ状スリーブ
１８″  スリーブ、チューブ状スリーブ
２０  主要領域
２２  端部領域
２４  中央パネル
２６  側部パネル
２８  側部パネル
３０  長手方向折り目ライン
３２  長手方向折り目ライン
３４  底部
４０  第１の横折り目ライン、横方向折り目ライン
４１  第２の横折り目ライン、横方向折り目ライン
４２  端部閉鎖フラップ
４４  長手方向フラップ
４６  近位パネル
４８  遠位パネル
５０  折り目ライン
５２  ロック歯
５４  スロット
５６  側壁部、側方壁部
５８  側壁部、側方壁部
６０  前方端部パネル
８０  主要領域
８２  舌部
８４  パネル
８６  パネル
８８  パネル
９０  パネル
９２  末端連結ストリップ
９４  折り目ライン
９６  折り目ライン
９８  折り目ライン
１００  折り目ライン
１０２  底部
１０４  頂部
１０６  側壁部
１０８  側壁部
１０９ａ  第１の長手方向端部エッジ、前方長手方向端部エッジ
１０９ｂ  第２の長手方向端部エッジ、後方長手方向端部エッジ
１１０  第１の自由セクション、第１のセクション
１１２  第２のセクション
１１４  第１の端部
１１６  第２の自由端部、把持端部
１１８  折り目ライン
１１８´  脆弱ライン
１２０  脆弱ライン
１２２  切欠部
１２４  第１の領域
１２６  第２の領域
２００  パッケージング
２００´  パッケージング
２００″  パッケージング
２０２  中央ゾーン
２０４  端部ゾーン
２０６  端部ゾーン
２１０  主要領域
２１２  第１の端部領域
２１４  第２の端部領域
２１５  舌部、タブ
２１６  中央パネル
２１８  遠位側部パネル
２２０  近位側部パネル
２２２  近位側部パネル
２２４  長手方向折り目ライン
２２６  長手方向折り目ライン
２２８  長手方向折り目ライン
２３０  長手方向折り目ライン
２３２  長手方向折り目ライン
２３４  底部
２４０ａ  第１の横方向折り目ライン
２４０ｂ  第２の横方向折り目ライン
２４１  第１の部分
２４２  第１の端部閉鎖フラップ
２４３  第２の部分
２４４  長手方向フラップ
２４６  近位パネル
２４８  遠位パネル
２５０  折り目ライン
２５２  ロック歯
２５４  スロット
２６０  第２の端部閉鎖フラップ
２６１  前方端部パネル
２６２  横方向フラップ
２６６  近位パネル
２６８  遠位パネル
２７０  折り目ライン
２７２  長手方向折り目ライン
２８０  第１の端部
２８２  第２の自由端部
２８４  長手方向折り目ライン
２８６  第１の部分
２８８  第２の部分
２９０  第１の端部
２９２  第２の自由端部、把持端部
２９４  脆弱ライン
３８０  主要領域
３８４  パネル
３８６  パネル
３８８  パネル
３９０  パネル
３９２  末端連結ストリップ、端部連結ストリップ
３９４  折り目ライン
３９６  折り目ライン
３９８  折り目ライン
４００  折り目ライン
４０２  底部
４０４  頂部
４０４″  頂部
４０６  側壁部
４０８  側壁部
４０９ａ  第１の長手方向端部エッジ、前方長手方向端部エッジ
４０９ｂ  第２の長手方向端部エッジ、後方長手方向端部エッジ
５００  不正防止要素
５０２  第１のセクション
５０４  第２のセクション
【図１】
2020533245.tif 000003
【図２】
2020533245.tif 000004
【図３】
2020533245.tif 000005
【図４】
2020533245.tif 000006
【図５】
2020533245.tif 000007
【図６】
2020533245.tif 000008
【図７】
2020533245.tif 000009
【図８】
2020533245.tif 000010
【図９】
2020533245.tif 000011
【図１０】
2020533245.tif 000012
【図１１】
2020533245.tif 000013
【図１２】
2020533245.tif 000014
【国際調査報告】
2020533245.tif 000015
2020533245.tif 000016
2020533245.tif 000017
2020533245.tif 000018